(57)【要約】      （修正有）【課題】生産性を損ねることなく、より安全且つ効率的に梱包でき、しかも店頭に陳列された際には、類似商品と明確に差別化して消費者の購買意欲を格段に高めることができる包装用シートを提供する。【解決手段】包装用シート３は、包装対象物の天面壁に一致する直径Ｄとされた天面包装域４が設定され、天面包装域４の外周縁４０のシート長方向Ｌに側壁包装上端幅寸法Ｗ１の範囲内の両端に上位折曲部ＵＦが配され、各上位折曲部ＵＦの間に保持スリット部ＨＳが開口され、各一対をなす上位折曲部ＵＦからシート長方向Ｌの端部が側壁包装下端幅寸法Ｗ２に設定された側壁包装域５が延伸され、これら２個の側壁包装域５の該シート長方向Ｌの端部には、夫々下位折曲部ＬＢを介して底面包装域６が結合部６０を有して設けられ、天面包装域４よりも遠心がわに拡張表示域７が設定される。【選択図】図２
0003231149.tif 000002
【実用新案登録請求の範囲】
【請求項１】
包装対象物の天面壁に一致する直径とされた天面包装域が設定され、該天面包装域の中心からシート長方向に、該天面包装域の半径より同半径の１／７ないし１／５を差し引いた位置から、該シート長方向に直交する両方向に、同天面包装域の直径よりも短く、しかも該包装対象物の側壁の上端の外周直径よりも大きな側壁包装上端幅寸法の内がわの両端の夫々に一対をなす上位折曲部が、該シート長方向に直交する方向に平行する直線上に配され、各一対をなす上位折曲部の間に、該天面包装域の外周縁に沿った保持スリット部が開口され、各一対をなす上位折曲部から、該シート長方向の双方に該包装対象物の側壁の上下端間寸法に相当する位置に、該包装対象物の底面壁の直径に一致する側壁包装下端幅寸法に設定された下位折曲部が配され、各一対をなす上位折曲部の該シート長方向に直交する方向の外端とそれに連なる該下位折曲部の同シート長方向に直交する方向の外端とが両側縁で連続された平面状の側壁包装域が設けられ、これら２個の側壁包装域の該シート長方向の端部には、夫々下位折曲部を介して、該包装対象物の底面壁を覆い、相互が結合可能となるようにした底面包装域が設けられ、当該天面包装域よりも遠心がわであって、該天面包装域のシート長方向に平行する一対の接線よりも求心がわ、および、同天面包装域の該シート長方向に直交する一対の接線よりも求心がわ、しかも各上位折曲部および側壁包装域を除く範囲に拡張表示域が設定されてなるものとされたことを特徴とする包装用シート。
【請求項２】
包装対象物の天面壁に一致する直径とされた天面包装域が設定され、該天面包装域の中心からシート長方向に、該天面包装域の半径より同半径の１／７ないし１／５を差し引いた位置から、該シート長方向に直交する両方向に、同天面包装域の直径よりも短く、しかも該包装対象物の側壁の上端の外周直径よりも大きな側壁包装上端幅寸法の内がわの両端の夫々に一対をなす上位折曲部が、該シート長方向に直交する方向に平行する直線上に配され、各一対をなす上位折曲部の間に、該天面包装域の外周縁に沿った保持スリット部が開口され、各一対をなす上位折曲部から、該シート長方向の双方に該包装対象物の側壁の上下端間寸法に相当する位置に、該包装対象物の底面壁の直径に一致する側壁包装下端幅寸法に設定された下位折曲部が配され、各一対をなす上位折曲部の該シート長方向に直交する方向の外端とそれに連なる該下位折曲部の同シート長方向に直交する方向の外端とが両側縁で連続された平面状の側壁包装域が設けられ、これら２個の側壁包装域の該シート長方向の端部には、夫々下位折曲部を介して、該包装対象物の底面壁を覆い、相互を結合可能とする結合部の形成された底面包装域が設けられ、当該天面包装域よりも遠心がわであって、該天面包装域のシート長方向に平行する一対の接線よりも求心がわ、および、同天面包装域の該シート長方向に直交する一対の接線よりも求心がわ、しかも各上位折曲部および側壁包装域を除く範囲に拡張表示域が設定されてなるものとされたことを特徴とする包装用シート。
【請求項３】
包装対象物の天面壁に一致する直径とされた天面包装域が設定され、該天面包装域の中心からシート長方向に、該天面包装域の半径より同半径の１／７ないし１／５を差し引いた位置から、該シート長方向に直交する両方向に、同天面包装域の直径よりも短く、しかも該包装対象物の側壁の上端の外周直径よりも大きな側壁包装上端幅寸法の内がわの両端の夫々に一対をなす上位折曲部が、該シート長方向に直交する方向に平行する直線上に配され、各一対をなす上位折曲部の間に、該天面包装域の外周縁に沿った保持スリット部が開口され、各一対をなす上位折曲部から、該シート長方向の双方に該包装対象物の側壁の上下端間寸法に相当する位置に、該包装対象物の底面壁の直径に一致する側壁包装下端幅寸法に設定された下位折曲部が配され、各一対をなす上位折曲部の該シート長方向に直交する方向の外端とそれに連なる該下位折曲部の同シート長方向に直交する方向の外端とが両側縁で連続された平面状の側壁包装域が設けられ、これら２個の側壁包装域の該シート長方向の端部には、夫々下位折曲部を介して、該包装対象物の底面壁を覆い、相互を結合可能とする結合部の形成された底面包装域が設けられ、当該天面包装域よりも遠心がわであって、該天面包装域のシート長方向に平行する一対の接線よりも求心がわ、および、同天面包装域の該シート長方向に直交する一対の接線よりも求心がわ、しかも各上位折曲部および側壁包装域を除く範囲に拡張表示域が設定され、、当該天面包装域の四方に合計４箇所の拡張表示域に天面表示を拡張可能とされてなるものとされたことを特徴とする包装用シート。
【請求項４】
包装対象物の天面壁より１ないし６ｍｍ大きな直径とされた天面包装域が設定され、該天面包装域の中心からシート長方向に、該天面包装域の半径より同半径の１／７ないし１／５を差し引いた位置から、該シート長方向に直交する両方向に、同天面包装域の直径よりも短く、しかも該包装対象物の側壁の上端の外周直径よりも大きな側壁包装上端幅寸法の内がわの両端の夫々に一対をなす上位折曲部が、該シート長方向に直交する方向に平行する直線上に配され、各一対をなす上位折曲部の間に、該天面包装域の外周縁に沿った保持スリット部が開口され、各一対をなす上位折曲部から、該シート長方向の双方に該包装対象物の側壁の上下端間寸法に相当する位置に、該包装対象物の底面壁の直径より１ないし６ｍｍ大きな側壁包装下端幅寸法に設定された下位折曲部が配され、各一対をなす上位折曲部の該シート長方向に直交する方向の外端とそれに連なる該下位折曲部の同シート長方向に直交する方向の外端とが直線形の両側縁で連続された平面状の側壁包装域が設けられ、これら２個の側壁包装域の該シート長方向の端部には、夫々下位折曲部を介して、該包装対象物の底面壁に同包装対象物の底面壁よりも１ないし６ｍｍ大きな直径を含む面積をもって覆い、相互を結合可能とする結合部の形成された底面包装域が設けられ、当該天面包装域よりも遠心がわであって、該天面包装域のシート長方向に平行する一対の接線よりも求心がわ、および、同天面包装域の該シート長方向に直交する一対の接線よりも求心がわ、しかも各上位折曲部および側壁包装域を除く範囲に拡張表示域が設定され、該天面包装域の内がわの天面表示の一部が、各拡張表示域の少なくとも１箇所に逸出し、該拡張表示域の逸出表示となり、同逸出表示よりも遠心がわの余となる拡張表示域が切除され、該逸出表示が、該天面包装域から遠心がわに突出された天面表示拡張部とされたことを特徴とする包装用シート。
【請求項５】
天面包装域の内がわの天面表示、および、拡張表示域の逸出表示が、果実、草花または樹木などの植物、動物またはキャラクターの少なくとも何れか１つの画像の一部または全体の何れか一方が印刷表示されたものとしてなる、前記請求項１ないし請求項３何れか一記載の包装用シート。
【請求項６】
概略円錐形の側壁の下端に底面壁を有し、同側壁の上端が開口され、同開口の外周囲に水平なフランジ部を有した容器と、該容器内に充填された充填物と、該フランジ部に結合され、該開口を密閉した樹脂フィルム製の蓋とからなる包装対象物が、前記請求項１ないし請求項４何れか一記載の包装用シートの天面包装域を、該包装対象物の天面壁に重ね合わせられ、２箇所の保持スリット部に包装対象物のフランジ部が掛止され、２個の側壁包装域が包装対象物の側壁に対峙され、これら２個の底面包装域が包装対象物の底面壁に重ね合わせられた上、各底面包装域が互いに結合され、当該包装対象物の側壁の軸心に直交する軸心回りに１周する断面四角形状に巻き付けられた状態に包装されてなる、前記請求項１ないし請求項４何れか一記載の包装用シートに外装されてなる容器詰め商品。
【考案の詳細な説明】
【技術分野】
【０００１】
この考案は、容器詰めされた各種の包装対象物やその他の固形の物品類などを外装する包装技術に関連するものであり、特に、包装対象物の天面壁から、その両側壁を経て底面壁に至るよう巻き掛け包装される包装用シート、および包装対象物が該包装用シートによって外装された容器詰め商品を製造、提供する分野を初め、その分野には属していないが、そこでの技術的思想の創作内容を取り入れたと同定されるような類いのものを製造、提供する分野についてまでをも含むのは勿論のこと、それらの分野に係って行う輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                                                
【背景技術】
【０００２】
（着目点）
透明合成樹脂製のゼリーカップに、シロップ漬けされた果肉およびゼリーが充填され、同ゼリーカップの上端の開口に樹脂フィルムがラミネート加工されることによって密閉状に施蓋しパッケージされた、容器詰め商品などは、保管、輸送、展示、販売、および、消費者が運搬、保管する際などに、ゼリーカップに不要な荷重や圧力などの外力が加わったり、落下させてしまったりして変形や破損を招く虞があり、こうした輸送や展示、販売の過程で食品の品質を損ねないよう、段ボール箱に充分な緩衝を施して梱包した上輸送し、店頭では重ねずに平置きするよう陳列するなど細心の注意を要するものであった。
【０００３】
また、ゼリーカップの蓋は、充填された食品の種類に応じて個別の商品名や商品説明などの文字情報や、イラストまたは写真などの画像情報などが印刷、表示されたものとなっているが、ゼリーカップの蓋の面積は、同ゼリーカップの上端の開口から遠心方向に突設された環状のフランジ部を含む範囲に留まり、この面積を超えて文字情報や画像情報などを表示することができないという欠点があった。
【０００４】
（従来の技術）
こうした状況を反映し、その打開策となるような提案もこれまでに散見されない訳ではない。
例えば、下記の特許文献１（１）に提案されているものに代表されるように、容器本体のフランジ部に蓋体のフランジ部が嵌合された容器の該蓋体を包囲する天板部と、該天板部の両側に一体的に設けられた、前記容器本体の側壁部を包囲する一対の側板部とから構成されてなると共に、前記天板部と側板部間に前記容器のフランジ部の一部が突出される所定形状の開口孔が設けられてなる容器装着用のシートホルダーであって、且つ前記開口孔の上下辺が前記容器のフランジ部を挟持する一対の掛止部として形成され、該容器のフランジ部を挟持し得るので、該開口孔から該容器のフランジ部の一部が突出され、強固に装着可能となる除湿器や、同特許文献１（２）に見られるような、容器本体部が、円錐形に対し中間高さ位置で突出した突出部を有しているフランジ付き容器であって、中心を通る一垂直断面に沿ってシート状帯体を巻き付けてなるカートンを設け、前記カートンを巻き付けた方向の断面において、該フランジが前記カートンに設けた切欠きに係合し、該カートンを巻き付けた方向と直交する方向の断面において、該カートンの寸法が、当該フランジの外周端と前記中間高さ位置で突出している突出部を結ぶ直線より突出しないように決められており、製品の十分な意匠的効果、表示効果、量感効果等を有し、かつ水平方向や斜め水平方向からの衝撃によるカートンの破壊が防止され、横向きや斜め横向きで落下してもカートンの破壊が防止される帯状枠体を有するフランジ付容器を形成することができるカートン入りフランジ付き容器などが散見される。
【０００５】
しかし、前者特許文献１（１）に示されているような、容器用挿着ホルダーは、包装の対象である容器本体の蓋体を覆う天板部と、同容器本体のフランジ部が挟持される開口孔、および、同容器本体の側壁部を包囲する一対の側板部を有しているが、該容器本体の底部を保護する構造を備えておらず、該容器本体の底部に過大な外力が加わった場合に、同容器本体の底部を充分に保護することができないという欠点を有している上、天板部および一対の側板部への文字や画像などの印刷、表示については記載が無い。また、特許文献１（２）のカートン入りフランジ付き容器は、帯状枠体が容器本体を外部からの衝撃から保護する効果を奏するものとなっているが、平面視円形状の容器本体が、平面視矩形状の帯状枠体によって包装されたものであるから、天面への印刷表示面積は、容器本体部の天面壁よりも大きく確保することができるものの、その表示内容をより強く強調できるものとはなっていなかった。                                                                        
【特許文献１】（１）特開平７−２９１３４６号公報    （２）特許第４８９０８２０号公報
【考案の概要】
【考案が解決しようとする課題】
【０００６】
（問題意識）
上述したとおり、従前までに提案のある各種の容器用の包装技術は、何れも容器本体の天面壁の略全体に重ね合わせられ、該容器本体の側壁を覆うよう包装する帯状の包装用シートを有するものとされているが、こうした包装用シートの天面形状は、包装の機能性が優先され、該包装用シートの形状に従った印刷表示に留まり、該天面形状を超えて天面表示の表現をさらに強調するのが難しいという欠点が残るものであり、店頭に陳列されると、類似する商品に埋もれてしまい、差別化するのが非常に困難なものとなってしまい、こうした状況を打開しようとして装飾品やシールなどを貼着すると他物と干渉してしまい、梱包、輸送および陳列の際に支障を来してしまう虞があり、製造工程上からも、生産性を損ねることなく、効率的に梱包することができ、しかも店頭に陳列された際には、同種の商品と明確に差別化して消費者の購買意欲を格段に高めることができる新たな包装技術の開発の可能性を痛感するに至ったものである。
【０００７】
（考案の目的）
そこで、この考案は、工場における生産性を損ねることなく、より安全且つ効率的に梱包することができ、しかも店頭に陳列された際には、類似商品と明確に差別化して消費者の購買意欲を格段に高めることができる新たな包装技術の開発はできないものかとの判断から、逸速くその開発、研究に着手し、長期に亘、試行錯誤と幾多の試作、実験とを繰り返してきた結果、今回、遂に新規な構造の包装用シート、およびその新規な包装用シートに外装されてなる容器詰め商品を実現化することに成功したものであり、以下では、図面に示すこの考案を代表する実施例と共に、その構成を詳述することとする。                                                
【課題を解決するための手段】
【０００８】
（考案の構成）
図面に示すこの考案を代表する実施例からも明確に理解されるように、この考案の包装用シートは、基本的に次のような構成から成り立っている。
即ち、    包装対象物の天面壁に一致する直径とされた天面包装域が設定され、該天面包装域の中心からシート長方向に、該天面包装域の半径より同半径の１／７ないし１／５を差し引いた位置から、該シート長方向に直交する両方向に、同天面包装域の直径よりも短く、しかも該包装対象物の側壁の上端の外周直径よりも大きな側壁包装上端幅寸法の内がわの両端の夫々に一対をなす上位折曲部が、該シート長方向に直交する方向に平行する直線上に配され、各一対をなす上位折曲部の間に、該天面包装域の外周縁に沿った保持スリット部が開口され、各一対をなす上位折曲部から、該シート長方向の双方に該包装対象物の側壁の上下端間寸法に相当する位置に、該包装対象物の底面壁の直径に一致する側壁包装下端幅寸法に設定された下位折曲部が配され、各一対をなす上位折曲部の該シート長方向に直交する方向の外端とそれに連なる該下位折曲部の同シート長方向に直交する方向の外端とが両側縁で連続された平面状の側壁包装域が設けられ、該２個の側壁包装域の該シート長方向の端部には、夫々下位折曲部を介して、該包装対象物の底面壁を覆い、相互が結合可能となるようにした底面包装域が設けられ、当該天面包装域よりも遠心がわであって、該天面包装域のシート長方向に平行する一対の接線よりも求心がわ、および、同天面包装域の該シート長方向に直交する一対の接線よりも求心がわ、しかも各上位折曲部および側壁包装域を除く範囲に拡張表示域が設定されてなるものとした構成を要旨とする包装用シートである。
【０００９】
この基本的な構成からなる包装用シートを、より具体的なものとして示せば、包装対象物の天面壁に一致する直径とされた天面包装域が設定され、該天面包装域の中心からシート長方向に、該天面包装域の半径より同半径の１／７ないし１／５を差し引いた位置から、該シート長方向に直交する両方向に、同天面包装域の直径よりも短く、しかも該包装対象物の側壁の上端の外周直径よりも大きな側壁包装上端幅寸法の内がわの両端の夫々に一対をなす上位折曲部が、該シート長方向に直交する方向に平行する直線上に配され、各一対をなす上位折曲部の間に、該天面包装域の外周縁に沿った保持スリット部が開口され、各一対をなす上位折曲部から、該シート長方向の双方に該包装対象物の側壁の上下端間寸法に相当する位置に、該包装対象物の底面壁の直径に一致する側壁包装下端幅寸法に設定された下位折曲部が配され、各一対をなす上位折曲部の該シート長方向に直交する方向の外端とそれに連なる該下位折曲部の同シート長方向に直交する方向の外端とが両側縁で連続された平面状の側壁包装域が設けられ、これら２個の側壁包装域の該シート長方向の端部には、夫々下位折曲部を介して、該包装対象物の底面壁を覆い、相互を結合可能とする結合部の形成された底面包装域が設けられ、当該天面包装域よりも遠心がわであって、該天面包装域のシート長方向に平行する一対の接線よりも求心がわ、および、同天面包装域の該シート長方向に直交する一対の接線よりも求心がわ、しかも各上位折曲部および側壁包装域を除く範囲に拡張表示域が設定されてなる構成を要旨とする包装用シートとなる。
【００１０】
これを、換言するならば、包装対象物の天面壁に一致する直径とされた天面包装域が設定され、該天面包装域の中心からシート長方向に、該天面包装域の半径より同半径の１／７ないし１／５を差し引いた位置から、該シート長方向に直交する両方向に、同天面包装域の直径よりも短く、しかも該包装対象物の側壁の上端の外周直径よりも大きな側壁包装上端幅寸法の内がわの両端の夫々に一対をなす上位折曲部が、該シート長方向に直交する方向に平行する直線上に配され、各一対をなす上位折曲部の間に、該天面包装域の外周縁に沿った保持スリット部が開口され、各一対をなす上位折曲部から、該シート長方向の双方に該包装対象物の側壁の上下端間寸法に相当する位置に、該包装対象物の底面壁の直径に一致する側壁包装下端幅寸法に設定された下位折曲部が配され、各一対をなす上位折曲部の該シート長方向に直交する方向の外端とそれに連なる該下位折曲部の同シート長方向に直交する方向の外端とが両側縁で連続された平面状の側壁包装域が設けられ、これら２個の側壁包装域の該シート長方向の端部には、夫々下位折曲部を介して、該包装対象物の底面壁を覆い、相互を結合可能とする結合部の形成された底面包装域が設けられ、当該天面包装域よりも遠心がわであって、該天面包装域のシート長方向に平行する一対の接線よりも求心がわ、および、同天面包装域の該シート長方向に直交する一対の接線よりも求心がわ、しかも各上位折曲部および側壁包装域を除く範囲に拡張表示域が設定され、、当該天面包装域の四方に合計４箇所の拡張表示域に天面表示を拡張可能とされてなるものとした構成からなる包装用シートと言うことができる。
【００１１】
そして、さらに具体的には、包装対象物の天面壁より１ないし６ｍｍ大きな直径とされた天面包装域が設定され、該天面包装域の中心からシート長方向に、該天面包装域の半径より同半径の１／７ないし１／５を差し引いた位置から、該シート長方向に直交する両方向に、同天面包装域の直径よりも短く、しかも該包装対象物の側壁の上端の外周直径よりも大きな側壁包装上端幅寸法の内がわの両端の夫々に一対をなす上位折曲部が、該シート長方向に直交する方向に平行する直線上に配され、各一対をなす上位折曲部の間に、該天面包装域の外周縁に沿った保持スリット部が開口され、各一対をなす上位折曲部から、該シート長方向の双方に該包装対象物の側壁の上下端間寸法に相当する位置に、該包装対象物の底面壁の直径より１ないし６ｍｍ大きな側壁包装下端幅寸法に設定された下位折曲部が配され、各一対をなす上位折曲部の該シート長方向に直交する方向の外端とそれに連なる該下位折曲部の同シート長方向に直交する方向の外端とが直線形の両側縁で連続された平面状の側壁包装域が設けられ、これら２個の側壁包装域の該シート長方向の端部には、夫々下位折曲部を介して、該包装対象物の底面壁に同包装対象物の底面壁よりも１ないし６ｍｍ大きな直径を含む面積をもって覆い、相互を結合可能とする結合部の形成された底面包装域が設けられ、当該天面包装域よりも遠心がわであって、該天面包装域のシート長方向に平行する一対の接線よりも求心がわ、および、同天面包装域の該シート長方向に直交する一対の接線よりも求心がわ、しかも各上位折曲部および側壁包装域を除く範囲に拡張表示域が設定され、該天面包装域の内がわの天面表示の一部が、各拡張表示域の少なくとも１箇所に逸出し、該拡張表示域の逸出表示となり、同逸出表示よりも遠心がわの余となる拡張表示域が切除され、該逸出表示が、該天面包装域から遠心がわに突出された天面表示拡張部とされた構成からなる包装用シートとなる。
【００１２】
（関連する考案１）
上記したこの考案の基本をなす包装用シートに関連し、この考案には、それに外装されてなる容器詰め商品も包含している。
即ち、概略円錐形の側壁の下端に底面壁を有し、同側壁の上端が開口され、同開口の外周囲に水平なフランジ部を有した容器と、該容器内に充填された充填物と、該フランジ部に結合され、該開口を密閉した樹脂フィルム製の蓋とからなる包装対象物が、前記何れか一記載の包装用シートの天面包装域を、該包装対象物の天面壁に重ね合わせられ、２箇所の保持スリット部が包装対象物のフランジ部に嵌合され、これら２個の側壁包装域が包装対象物の側壁に対峙され、これら２個の底面包装域が包装対象物の底面壁に重ね合わせられた上、各底面包装域が互いに結合され、当該包装対象物の側壁の軸心に直交する軸心回りに１周する断面四角形状に巻き付けられた状態に包装されてなる、この考案の基本をなす上記した何れかの構成に依る包装用シートに外装されてなる容器詰め商品である。                              
【考案の効果】
【００１３】
以上のとおり、この考案の基本をなす包装用シートによれば、従前までのものとは違い、上記したとおりの固有の特徴ある構成から、天面包装域よりも遠心がわであって、該天面包装域のシート長方向に平行する一対の接線よりも求心がわ、および、同天面包装域の該シート長方向に直交する一対の接線よりも求心がわ、しかも各上位折曲部および側壁包装域を除く範囲に拡張表示域が設定されたものとなっているから、天面包装域の外がわとなる拡張表示域にも天面表示が逸出された状態に表示可能なものとなり、該天面包装域に印刷表示された文字情報や画像情報などを格段に強調された表現に変えることができるという秀でた特徴が得られるものである。
【００１４】
加えて、天面包装域の内がわの天面表示の一部が、各拡張表示域の少なくとも１箇所に逸出し、該拡張表示域の逸出表示となり、同逸出表示よりも遠心がわの余となる拡張表示域が切除され、該逸出表示が、該天面包装域から遠心がわに突出された天面表示拡張部とされた、この考案の基本をなす包装用シートによると、逸出表示に一致された輪郭を有する天面表示拡張部が、天面包装域の内がわから外側に飛び出した表現が可能となり、店頭に陳列、展示された場合にも、従来型の商品よりも格別に注目を集める商品となる。
【００１５】
さらに、天面包装域が、包装対象物の天面壁より１ないし６ｍｍ大きな直径とされ、側壁包装域が、その上端に配された一対をなす上位折曲部の外端間の側壁包装上端幅寸法が該包装対象物の側壁の上端の外周直径よりも１ないし６ｍｍ大きく設定され、同側壁包装域の下端に配された下位折曲部の外端間の側壁包装下端幅寸法が該包装対象物の底面壁の直径より１ないし６ｍｍ大きく設定された上、各一対をなす上位折曲部の該シート長方向に直交する方向の外端と、それに連なる該下位折曲部の同シート長方向に直交する方向の外端とが、直線形の両側縁で連続された平面状とされた、この考案包装用シートによれば、該包装用シートの肥大化を防ぎながら、該包装対象物の全体をより確実に外力から保護できる秀でた緩衝性能を達成できるものとなる。
【００１６】
また、天面包装域の内がわの天面表示、および、拡張表示域の逸出表示が、果実、草花または樹木などの植物、動物またはキャラクターの少なくとも何れか１つの画像の一部または全体の何れか一方が印刷表示された、この考案包装用シートによれば、天面包装域の内がわから外がわの拡張表示域に飛び出すように表示された逸出表示が、その印刷表示のイメージをより格別に強調できるものとなる。
【００１７】
そして、この考案の基本をなす包装用シートに外装されてなる容器詰め商品によれば、包装対象物に充填された充填物が重量の嵩む食品であっても、該包装用シートが外力から安全に保護し、箱詰めされた場合に輸送中に不用意に移動しないようサポートし、積み重ねられた状態でも安定に保管、輸送および陳列することが可能となり、転倒した際にも転がりを阻止し、包装対象物の落下などに起因する損傷をより確実に防止することができる上、陳列、展示された場合に、該包装用シートの天面包装域の内がわの天面表示の一部が、拡張表示域に逸出し逸出表示となって従来型の容器詰め商品よりも、より消費者の注目を集めるものとなり、格段に付加価値の高められたものになるという大きな効果を奏するものとなる。                                                                                    
【考案を実施するための最良の形態】
【００１８】
上記したとおりの構成からなるこの考案の実施に際し、その最良もしくは望ましい形態について説明を加えることにする。
容器詰め商品は、この考案の基本をなす包装用シートが、包装対象物に外装されたものであり、該包装対象物は、容器を持たない、例えば、石鹸やや石材製品などの固形物とすることができる外、充填物を密閉状に保持可能とする機能を分担する容器と、該容器内に充填された充填物と、該容器の開口を密閉した蓋とからなるものとすることができ、より具体的には、該容器の少なくとも上端の開口に水平なフランジ部が設けられたものとするのが望ましく、該容器は、後述する実施例にも示すように、合成樹脂製のゼリーカップとすることができる外、缶詰、アイスクリームなどが充填された紙製容器、茶筒などの木製容器など、様々な素材および形状の容器とすることが可能であり、当該包装対象物の容器の側壁が、柱形ないし錐形のものとするのが良く、該容器の側壁は、凹凸などの曲面を含む形状とすることができる。
【００１９】
包装用シートは、包装対象物の外周囲を覆い、様々な外力から保護すると共に、表裏面の少なくとも表面に、商品名や商品説明、イラスト、写真、ロゴタイプ（ｌｏｇｏｔｙｐｅ）、商品情報、食品表示、注意書き、栄養成分表示、リサイクルマーク、バーコード、賞味期限、および、その他の文字情報や背景の色、模様、画像などの画像情報などが印刷表示される機能を分担し、天面包装域、上位折曲部、保持スリット部、側壁包装域、底面包装域および拡張表示域を有するものとしなければならず、後述する実施例にも示しているように、厚紙製のものとすることができる外、合成樹脂製や木製、金属製、それらの複合素材製のものなど様々な素材製のものとすることが可能である。
【００２０】
天面包装域は、包装対象物の天面壁を保護し、表裏面の少なくとも表面に印刷表示し、外周囲に拡張表示域を一体に支持する機能を担い、包装対象物の天面壁に一致する直径とされ、該天面包装域の周囲に、拡張表示域、保持スリット部および上位折曲部が一体化されたものとしなければならず、より具体的には、天面包装域の直径は、該包装対象物の天面壁の直径より極僅か、例えば１ｍｍないし６ｍｍ大きな直径に設定され、外力の緩衝機能が高められたものとするのが良い。各部が１ｍｍないし６ｍｍ大きく設定されたものとするのが良いが、１ｍｍ未完の寸法拡大では高い保護機能を達成するのが難しく、６ｍｍを超えて大きく設定されたものは、包装用シートが不要に肥大化し、輸送、保管、陳列などの効率を悪化させてしまう虞がある。
【００２１】
上位折曲部は、天面包装域に対し、各側壁包装域を折り曲げ自在に一体化する機能を分担し、天面包装域の中心からシート長方向に、該天面包装域の半径より同半径の１／７ないし１／５を差し引いた位置から、該シート長方向に直交する両方向に、同天面包装域の直径よりも短く、しかも該包装対象物の側壁の上端の外周直径よりも大きな側壁包装上端幅寸法の内がわの両端の夫々に一対をなして配されたものとすべきであり、天面包装域の中心からシート長方向に、該天面包装域の半径より同半径の１／７未満を差し引いた位置から、該シート長方向に直交する方向となる位置に設けられた場合には、保持スリット部の開口幅を充分に確保できず、包装対象物が脱落し易くなってしまうという欠点を生じ、天面包装域の中心からシート長方向に、該天面包装域の半径から同半径の１／５を超えた寸法を差し引いた位置からシート長方向に直交する方向となる位置に設けられた場合には、上位折曲部のシート長方向に直交する方向の幅寸法を充分に確保するのが難しくなり、充分な連結強度を確保できない虞がある。
【００２２】
上位折曲部は、後述する実施例にも示すように、天面包装域の中心からシート長方向に、該天面包装域の半径より同半径の１／７ないし１／５望ましくは１／６を差し引いた位置から、該シート長方向に直交する両方向に、同天面包装域の直径よりも短く、しかも該包装対象物の側壁の上端の外周直径よりも大きな側壁包装上端幅寸法の内がわの両端の夫々に一対をなして配されたものとするのが望ましい。また、該側壁包装上端幅寸法は、包装対象物の側壁の上端部分の外径よりも１ｍｍないし６ｍｍ大きな幅寸法に設定されたものとするのが望ましく、この考案の基本をなす包装用シートのシート素材が、厚み方向にプレスされたり、切り込みや溝が入れられたり、ミシン孔が穿設されたりするなどして脆弱化され、折り曲げ容易とされた部分とするのが良い。
【００２３】
保持スリット部は、天面包装域の外周縁の一部と、折り曲げられた一対をなす上位折曲部および各側壁包装域との間に、包装された包装対象物の天面壁の外周縁の一部が掛止し保持可能とする機能を分担し、一対をなす上位折曲部の間に、該天面包装域の外周縁に沿って開口されたものとしなければならず、より具体的に示すと、天面包装域のシート長方向の夫々に一対をなす上位折曲部の間に渡って同面包装域の外周縁に沿って円弧状に開口されたものであるということができる。
【００２４】
側壁包装域は、天面包装域と底面包装域とを連結し、包装対象物の側壁を外力から保護すると共に、表裏面の少なくとも表面に文字やイラストなどの様々な印刷表示を可能とする機能を担い、各一対をなす上位折曲部の該シート長方向に直交する方向の外端とそれに連なる該下位折曲部の同シート長方向に直交する方向の外端とが両側縁で連続された平面状に設けられたものとしなければならず、より具体的には、各一対をなす上位折曲部の該シート長方向に直交する方向の外端とそれに連なる該下位折曲部の同シート長方向に直交する方向の外端とが直線形の両側縁で連続された平面状に設けられたものとするのが良く、前述の如く側壁包装上端幅寸法が、包装対象物の側壁の上端部分の外径よりも１ｍｍないし６ｍｍ大きな幅寸法に設定され、該側壁包装下端幅寸法が、包装対象物の底面壁の直径よりも１ｍｍないし６ｍｍ大きく設定されたものとすれば、一対の側壁包装域の間に、包装対象物の上下端間に渡る側壁が、より確実に包囲され、外力の緩衝機能がより高められたものとなる。
【００２５】
下位折曲部は、各側壁包装域のシート長方向の端に対し、底面包装域を折り曲げ自在に一体化する機能を分担し、側壁包装域のシート長方向の端の側壁包装下端幅寸法に一致する幅寸法に渡り、シート長方向に直交する方向の直線上に配されたものとすべきであり、、該側壁包装下端幅寸法は、包装対象物の底面壁の直径よりも１ｍｍないし６ｍｍ大きな幅寸法に設定されたものとするのが良く、この考案の基本をなす包装用シートのシート素材が、厚み方向にプレスされたり、切り込みや溝が入れられたり、ミシン孔が穿設されたりするなどして脆弱化され、折り曲げ容易とされ部分とするのが良い。
【００２６】
底面包装域は、一対の側壁包装域のシート長方向の端部同士を連結し、包装対象物の底面壁を保護すると共に、表裏面の少なくとも表面に文字やイラストなどの様々な印刷表示を可能とする機能を分担し、これら２個の側壁包装域の該シート長方向の端部の夫々の下位折曲部を介し、該包装対象物の底面壁を覆うように重ねられると共に、該２個の底面包装域には、互いに連結可能な適宜結合手段が講じられたものとしなければならず、該底面包装域の適宜結合手段は、一対の底面包装域同士を連結する機能を担い、より具体的には、両面粘着テープまたは片面粘着テープや粘着剤などによる接着や、針在りステープラーによる結合、針無しステープラーによる圧着などの外、後述する実施例にも示すような結合部として、嵌合可能な舌片とスリットとからなるものとすることができる。
【００２７】
拡張表示域は、天面包装域の内がわに配された天面表示の一部を、天面包装域を超えて表示可能とする機能を担い、該天面包装域よりも遠心がわであって、該天面包装域のシート長方向に平行する一対の接線よりも求心がわ、および、同天面包装域の該シート長方向に直交する一対の接線よりも求心がわ、しかも各上位折曲部および側壁包装域を除く範囲に設定されたものとしなければならず、拡張表示域は、表裏面の少なくとも表面に印刷表示されたものとすることができ、当該天面包装域の四方に合計４箇所の拡張表示域が追加された範囲に天面表示が可能とされたものであるということができ、後述する実施例にも示しているように、天面包装域の内がわの天面表示の一部が、各拡張表示域の少なくとも１箇所に逸出し、該拡張表示域の逸出表示となり、同逸出表示よりも遠心がわの余となる拡張表示域が切除され、該逸出表示が、該天面包装域から遠心がわに突出された天面表示拡張部とされたものとするのが良い。
【００２８】
逸出表示は、天面包装域の内がわの天面表示の一部が、各拡張表示域がわに逸出され、該天面表示を大幅に際立たせる機能を担い、各拡張表示域の少なくとも１箇所に逸出して表示されたものとしなければならず、さらに、該逸出表示が、該天面包装域から遠心がわに突出された天面表示拡張部とされたものとすることができ、該天面表示拡張部は、逸出表示のみが、天面包装域の内がわから外向きに越境され、より一層強調された存在となるよう強調する機能を分担し、逸出表示よりも遠心がわの余となる拡張表示域が切除されたものとするのが良い。
また、後述する実施例にも示すように、天面包装域の内がわの天面表示、および、拡張表示域の逸出表示が、果実、草花または樹木などの植物の印刷画像、または、動物、キャラクターの一部または全体の何れか一方が印刷表示されたものとすることができる。
【００２９】
この考案の容器詰め商品は、包装対象物としての充填物が充填され施蓋された容器と、該容器に外装されたこの考案の基本をなす包装用シートとの組み合わせからなるものであり、充填物は、液体、半固体、固体、粉体、粒体または気体などとすることができ、より具体的には、ゼリー、プリン、ジャム、バター、蜂蜜、佃煮、ドレッシング、アイスクリーム、スープ、穀物、調味料、その他の食品類などとすることができる外、接着剤やパテ、シール材、ボルト、などの様々な工業用やホビー用の材料や部品類など、食品以外のあらゆる物品が容器詰めされたものとすることができる。
【００３０】
包装対象物としての容器は、充填物を密閉状に収容し保護する機能を分担し、充填物が充填され施蓋されたものとすることができ、合成樹脂製、ガラス製、金属製、セラミックス製、複合素材製、その他の素材製のものとすることができ、表現を変えて示すと、カップ、ボトル、缶詰、トレー、その他の形状のものとすることができる。
以下では、図面に示すこの考案を代表する実施例と共に、その構造について詳述することとする。                                                                                                
【図面の簡単な説明】
【００３１】
図面は、この考案の包装用シート、および、それに外装されてなる容器詰め商品の技術的思想を具現化した代表的な幾つかの実施例を示すものである。
【図１】この考案の包装用シートを示す平面図である。
【図２】この考案の包装用シートを示す平面図である。
【図３】天面包装域および拡張表示域を示す平面図である。
【図４】この考案の包装用シートに外装された容器詰め商品を示す正面図である。
【図５】この考案の包装用シートに外装された容器詰め商品を示す側面図である。
【図６】底面包装域およびその結合部を示す底面図である。
【図７】天面包装域の天面表示と拡張表示域の逸出表示および天面表示拡張部を示す正面図である。
【図８】天面包装域の天面表示と逸出表示および天面表示拡張部を示す正面図である。
【図９】この考案の包装用シートに外装された容器詰め商品を示す底面図である。
【図１０】天面包装域の天面表示と拡張表示域の逸出表示および天面表示拡張部を示す正面図である。
【図１１】天面包装域の天面表示と逸出表示および天面表示拡張部を示す正面図である。
【実施例１】
【００３２】
図１ないし図９に示す事例は、包装対象物２の天面壁２１に一致する直径Ｄとされた天面包装域４が設定され、該天面包装域４の外周縁４０のシート長方向Ｌに側壁包装上端幅寸法Ｗ１の範囲内の両端に上位折曲部ＵＦ，ＵＦが配され、各上位折曲部ＵＦ，ＵＦの間に保持スリット部ＨＳ，ＨＳが開口され、各一対をなす上位折曲部ＵＦ，ＵＦからシート長方向Ｌの端部が側壁包装下端幅寸法Ｗ２に設定された側壁包装域５，５が延伸され、該２個の側壁包装域５，５の該シート長方向Ｌの端部には、夫々下位折曲部ＬＢ，ＬＢを介して底面包装域６，６が結合部６０を有して設けられ、当該天面包装域４よりも遠心がわに拡張表示域７，７，……が設定されてなるものとされた、この考案の包装用シートを示すものである。
【００３３】
それら各図からも明確に把握できるとおり、この考案の包装用シート３は、容器２０としての透明合成樹脂製のゼリーカップ２０に、充填物としてのゼリー食品が充填され、上端の開口２１の外周囲に水平に突設された円環状のフランジ部２１に、透明樹脂フィルム製の蓋２３がラミネート加工によって密閉状に施蓋されてなる包装対象物２の、該フランジ部２１およびそれに被着された蓋２３からなる天面壁２１に一致するよう、該フランジ部２１の外径Ｄ０よりも１ｍｍないし６ｍｍ大きな直径Ｄとされた天面包装域４が設定され、該天面包装域４の中心Ｃからシート長方向Ｌに、該天面包装域４の半径Ｒより同半径Ｒの１／７ないし１／５望ましくは１／６（図２中の寸法Ｒ１）を差し引いた位置から、該シート長方向Ｌに直交する両方向に、同天面包装域４の直径Ｄよりも短く、しかも該包装対象物２の側壁２４の上端の外周直径Ｄ１よりも１ｍｍないし６ｍｍ大きな側壁包装上端幅寸法Ｗ１の内がわの両端の夫々に一対をなす上位折曲部ＵＦ，ＵＦが、該シート長方向Ｌに直交する方向に平行する直線上に配され、各一対をなす上位折曲部ＵＦ，ＵＦの間に、該天面包装域４の外周縁４０に沿った保持スリット部ＨＳ，ＨＳが開口されたものとなっている。
【００３４】
各側壁包装域５，５は、該天面包装域４のシート長方向Ｌに有って夫々一対をなす上位折曲部ＵＦ，ＵＦ，……から、該シート長方向Ｌの双方に該包装対象物２の側壁２４の上下端間寸法Ｈに相当する位置に、該包装対象物２の底面壁２５の直径Ｄ２に一致するよう、同直径Ｄ２よりも１ｍｍないし６ｍｍ大きな側壁包装下端幅寸法Ｗ２に設定された下位折曲部ＬＢ，ＬＢが配され、各一対をなす上位折曲部ＵＦ，ＵＦ，……の該シート長方向Ｌに直交する方向の外端とそれに連なる該下位折曲部ＬＢ，ＬＢの同シート長方向Ｌに直交する方向の外端とが直線形の両側縁５１，５１で連続された平面状に設けられたものとされ、さらに、該２個の側壁包装域５，５の該シート長方向Ｌの端部５０には、夫々下位折曲部ＬＢ，ＬＢを介して、該包装対象物２の底面壁２５に同包装対象物２の底面壁２５の直径Ｄ２よりも１ないし６ｍｍ大きな直径の円に四辺が接する矩形面をもって重なる底面包装域６，６が、結合部６０を有して設けられ、該結合部６０は、一方の底面包装域６の先端の側壁包装下端幅寸法Ｗ２の両端間の中央から該シート長方向Ｌの外がわに突設された舌片ＴＰと、他方の底面包装域６の基端の側壁包装下端幅寸法Ｗ２の両端間の中央に設けられたスリットＳＴとからなるものとされている。
【００３５】
当該天面包装域４よりも遠心がわであって、該天面包装域４のシート長方向Ｌに平行する一対の接線ＰＲ，ＰＲよりも求心がわ、および、同天面包装域４の該シート長方向Ｌに直交する一対の接線ＣＳ，ＣＳよりも求心がわ、しかも各上位折曲部ＵＦ，ＵＦ，……および側壁包装域５，５を除く範囲に拡張表示域７，７，……が設定され、該天面包装域４の内がわの天面表示ＴＤの一部が、各拡張表示域７，７，……の中の１箇所に逸出し、該拡張表示域７の逸出表示ＥＤとなり、同逸出表示ＥＤよりも遠心がわの余となる拡張表示域７が切除され、該逸出表示ＥＤが、該天面包装域４から遠心がわに突出された天面表示拡張部ＴＥとされたものとのなっている。
【００３６】
図７および図８に示すように、天面包装域４の内がわの天面表示ＴＤに果実の画像や商品名などの文字が印刷表示され、さらに、拡張表示域７の逸出表示ＥＤに、該果実の葉の先端がわが逸出されて印刷表示された上、該果実の葉の先端がわが表示された逸出表示ＥＤよりも遠心がわの余となる拡張表示域７が切除され、該逸出表示ＥＤが、該天面包装域４から果実の葉の先端がわが遠心がわに突出された天面表示拡張部ＴＥとされたものとすることが可能である。
【００３７】
さらにまた、図１０および図１１に示すように、天面包装域４の内がわの天面表示ＴＤに、動物の正面から見た顔が印刷表示され、さらに、拡張表示域７の逸出表示ＥＤに、該動物の左右の耳の先端がわが逸出されて印刷表示された上、該動物の左右の耳の先端がわが表示された逸出表示ＥＤよりも遠心がわの余となる拡張表示域７が切除され、該逸出表示ＥＤが、該天面包装域４から該動物の左右の耳の先端がわが遠心がわに突出された天面表示拡張部ＴＥとされたものとすることができる。
【００３８】
（実施例１の作用・効果）
以上のとおりの構成からなるこの考案の包装用シート３、図１ないし図１１に示すように、天面包装域４が、包装対象物２のフランジ部２１の外径よりも１ｍｍないし６ｍｍ大きな直径Ｄとされ、側壁包装域５の側壁包装上端幅寸法Ｗ１が、該包装対象物２の側壁２１の上端の外周直径Ｄ１よりも１ｍｍないし６ｍｍ大きく設定され、側壁包装下端幅寸法Ｗ２が、該包装対象物２の底面壁２５の直径Ｄ２よりも１ｍｍないし６ｍｍ大きな設定されたものとなっているから、外力が加わった際に、緩衝機能がより高められたものとなる。
【００３９】
また、図７，図８，図１０および図１１に示すように、該天面包装域４から遠心がわに突出された天面表示拡張部ＴＥが設けられた、この考案の包装用シート３によると、該天面包装域４の範囲内に留まる印刷表示に比較して飛躍的に特徴的な表現を実現化できるものとなる。                                                                                  
【実施例２】
【００４０】
図１ないし図１１に示す、この考案の容器詰め商品１は、包装対象物２が、その天面壁２１に前記実施例１に記載した包装用シート３の天面包装域４を重ね合わせられ、保持スリット部ＨＳ，ＨＳが該包装対象物２のフランジ部２１に掛止され、側壁包装域４，４が包装対象物２の側壁２４に対峙され、底面包装域６，６が包装対象物２の底面壁２５に重ね合わせられると共に結合部６０が結合され、巻き付けられた状態に包装されてなるこの考案の基本をなす包装用シートに外装されてなる容器詰め商品における代表的な一実施例を示すものである。
【００４１】
包装対象物２は、ＰＰ（ポリプロピレン樹脂）シートにＥＶＯＨ（エチレン−ビニルアルコール共重合体）シートが成型加工されてなる無色透明の合成樹脂製であって、概略円錐形の側壁２４の下端に水平な底面壁２５を有し、同側壁２４の上端が水平の円形に開口され、同開口２１の外周囲に水平な円環状のフランジ部２１を有した容器２０と、該容器２０内に充填されたシロップ漬けされた果肉片および果汁、ゼラチン、砂糖などからなるゼリーである充填物（図示せず）と、ＰＥ（ポリエチレン）フィルム、ＰＡ（ポリアミド）フィルム、ＥＶＯＨ（エチレン−ビニルアルコール共重合体）フィルムがラミネート加工された無色透明の樹脂フィルムが、該フランジ部２１にラミネート加工によって結合され、該開口２１を密閉した蓋２３とからなっている。
【００４２】
そして、この考案の容器詰め商品１は、包装対象物２が、前記実施例１に記載の包装用シート３の天面包装域４を、該包装対象物２の天面壁２１に重ね合わせられ、２箇所の保持スリット部ＨＳ，ＨＳが該包装対象物２のフランジ部２１に掛止され、２個の側壁包装域５，５が該包装対象物２の側壁２４を挟み込むよう対峙され、２個の底面包装域６，６が該包装対象物２の底面壁２５に重ね合わせられ、各底面包装域６，６の互いの結合部６０である舌片ＴＰがスリットＳＴに挿し込まれて結合され、当該包装対象物２の側壁２４の軸心Ｃに直交する軸心回りに１周する上下反転された台形状の断面形となるよう巻き付け包装されてなるものである。
【００４３】
（実施例２の作用・効果）
この考案の基本をなす包装用シート３に外装されてなる容器詰め商品１は、図８または図１１に示すように、該包装用シート３の拡張表示域７、逸出表示ＥＤおよび天面表示拡張部ＴＥによって格段に優れた装飾効果が得られるものとなり、さらに、該包装用シート３が、外力からより確実に防止できるものとなり、特に、図１，図２，図４ないし図６および図９に示したように、底面包装域６，６が、包装対象物２の底面壁２５の下に二重に重ねられた状態に組み合わせられたものとされているから、該容器詰め商品１が、重量の嵩むゼリー食品の充填された包装対象物２の底面壁２５から落下された場合にも、その衝撃力を大幅に軽減して破損を防止できるものとなる。
【００４４】
（結  び）
叙述の如く、この考案の基本をなす包装用シート、および、それに外装されてなる容器詰め商品は、その新規な構成によって所期の目的を遍く達成可能とするものであり、しかも製造も容易で、従前からの容器詰め商品の包装技術に比較して容器詰め商品を外力から保護する機能を大幅に強度化し、軽量且つ低廉化して遥かに経済的なものとすることができる上、生産および輸送の作業性を大幅に改善し得ると共に、陳列効率を高め、消費者の購買意欲を大幅に向上することができるから、従前までは他の製品との差別化が難しく、より効果的に注目を浴びる陳列および販売の実現化を希望する食品業界および販売業界はもとより、既存の商品よりもさらにデザイン性に優れた商品の提供を待望する一般家庭においても高く評価され、広範に渡って利用、普及していくものになると予想される。                                                
【符号の説明】
【００４５】
１      容器詰め商品
２      包装対象物
２０    同  ゼリーカップ（容器）
２１    同  天面壁（開口、フランジ部）
Ｄ０    同  フランジ部２１の外径
２３    同  蓋
２４    同  側壁
Ｄ１    同  側壁２４の外周直径
Ｃ    同  側壁２４の軸心
２５    同  底面壁（底面壁２５の外周縁）
Ｄ２    同  底面壁２５の直径
Ｈ    同  側壁２４の上下端間寸法
３      包装用シート
４      天面包装域
Ｃ    同  天面包装域４の中心
４０    同  天面包装域４の外周縁
Ｄ    同  天面包装域４の直径
Ｒ    同  天面包装域４の半径
Ｒ１    同  天面包装域４の半径の１／６
Ｌ    同  シート長方向
ＴＤ    同  天面表示
ＰＲ    同  シート長方向Ｌに平行する一対の接線
ＣＳ    同  シート長方向Ｌに直交する一対の接線
ＵＦ    同  上位折曲部
ＨＳ    同  保持スリット部
５      側壁包装域
５０    同  側壁包装域５のシート長方向Ｌの端部
５１    同  側壁包装域５の側縁
Ｗ１    同  側壁包装上端幅寸法
Ｗ２    同  側壁包装下端幅寸法
ＬＢ    同  下位折曲部
６      底面包装域
６０    同  結合部
ＴＰ    同  舌片
ＳＴ    同  スリット
７      拡張表示域
ＥＤ    同  逸出表示
ＴＥ    同  天面表示拡張部
【図１】
0003231149.tif 000003
【図２】
0003231149.tif 000004
【図３】
0003231149.tif 000005
【図４】
0003231149.tif 000006
【図５】
0003231149.tif 000007
【図６】
0003231149.tif 000008
【図７】
0003231149.tif 000009
【図８】
0003231149.tif 000010
【図９】
0003231149.tif 000011
【図１０】
0003231149.tif 000012
【図１１】
0003231149.tif 000013